(57)【要約】【課題】より高い利便性を有する映像記録装置、映像再生装置、及び映像記録再生システムを提供する。【解決手段】一実施形態に係る映像記録装置は、ネットワーク経由で接続された外部機器と通信を行なう映像記録装置であって、コンテンツを受信するコンテンツ受信手段と、受信した前記コンテンツのストリームを異なるビットレートのストリームに変換する変換手段と、受信した前記コンテンツのストリーム、または変換されたストリームを記録する記録手段と、前記外部機器からの第１のリクエストを受信した場合、前記第１のリクエストにより指定されたコンテンツの配信可能なビットレートのリストと、各ビットレート毎の変換の要否を示す情報とを前記外部機器に送信するリスト送信手段と、前記外部機器からの第２のリクエストを受信した場合、前記第２のリクエストにより指定されたビットレートのストリームを前記外部機器に配信する配信手段と、を具備する。【選択図】      図２
2013211767.tif 000002
【特許請求の範囲】
【請求項１】
ネットワーク経由で接続された外部機器と通信を行なう映像記録装置であって、
コンテンツを受信するコンテンツ受信手段と、
受信した前記コンテンツのストリームを異なるビットレートのストリームに変換する変換手段と、
受信した前記コンテンツのストリーム、または変換されたストリームを記録する記録手段と、
前記外部機器からの第１のリクエストを受信した場合、前記第１のリクエストにより指定されたコンテンツの配信可能なビットレートのリストと、各ビットレート毎の変換の要否を示す情報とを前記外部機器に送信するリスト送信手段と、
前記外部機器からの第２のリクエストを受信した場合、前記第２のリクエストにより指定されたビットレートのストリームを前記外部機器に配信する配信手段と、
を具備する映像記録装置。
【請求項２】
前記配信手段は、
前記第２のリクエストにより指定されたビットレートのストリームが前記記録手段により記録されていた場合、記録されたストリームを前記外部機器に配信し、
前記第２のリクエストにより指定されたビットレートのストリームが前記記録手段により記録されていない場合、前記記録手段により記録されたストリームを前記第２のリクエストにより指定されたビットレートのストリームに前記変換手段により変換し、変換されたストリームを前記外部機器に配信する、
請求項１に記載の映像記録装置。
【請求項３】
前記記録手段により記録されたストリームを再生する再生手段をさらに具備し、
前記記録手段は、前記変換手段により変換されたストリームを前記コンテンツ受信手段により受信したストリームに対応付けて記録し、
前記再生手段は、操作入力に応じてストリームを再生する場合、前記コンテンツ受信手段により受信したストリームを再生する、
請求項１に記載の映像記録装置。
【請求項４】
前記記録手段は、前記コンテンツを削除する操作入力に応じて、前記コンテンツ受信手段により受信したストリームと、前記変換手段により変換されたストリームとの両方を削除する、請求項３に記載の映像記録装置。
【請求項５】
前記記録手段は、記録したコンテンツ毎にコピー可能回数を示す情報を記憶するメモリを具備し、
前記配信手段は、ストリームを前記外部機器に配信した場合、前記メモリに記憶されているコピー可能回数を差し引く、
請求項１に記載の映像記録装置。
【請求項６】
ネットワーク経由で接続された外部機器と通信を行なう映像再生装置であって、
操作入力に応じてコンテンツを指定する為の第１のリクエストを前記外部機器に送信する第１のリクエスト送信手段と、
前記外部機器から前記第１のリクエストにより指定した前記コンテンツの配信可能なビットレートのリストを受信するリスト受信手段と、
前記リストに含まれている複数のビットレートの中から１つのビットレートを選択する選択手段と、
前記選択手段により選択したビットレートを示す第２のリクエストを前記外部機器に送信する第２のリクエスト送信手段と、
前記第２のリクエストにより指定したビットレートのストリームを受信するストリーム受信手段と、
前記ストリーム受信手段により受信したストリームを記録する記録手段と、
を具備する映像再生装置。
【請求項７】
前記リストを表示するリスト表示手段をさらに具備し、
前記選択手段は、操作入力に応じて前記リストとして表示した複数のビットレートの中から１つのビットレートを選択する、
請求項６に記載の映像再生装置。
【請求項８】
前記リスト表示手段は、設定に応じて前記リストの表示順を画質優先と速度優先とで切り替える、請求項７に記載の映像再生装置。
【請求項９】
前記リスト表示手段は、速度優先で前記リストを表示する場合、前記リストに含まれている各ビットレート毎の変換の要否に基づいて各ビットレートの表示順を切り替える、請求項８に記載の映像再生装置。
【請求項１０】
前記リスト表示手段は、画質優先で前記リストを表示する場合、前記リストに含まれている各ビットレートの高い順にビットレートの表示順を切り替え、変換が不要なビットレートと変換が必要なビットレートとで異なる表示をする、請求項８に記載の映像再生装置。
【請求項１１】
前記記録手段により記録したストリームを再生する再生手段をさらに具備し、
前記第２のリクエスト送信手段は、前記ストリームの再生中の操作入力に応じて、再生中のストリームのビットレートとは異なるビットレートを示す第２のリクエストを前記外部機器に送信する、請求項６に記載の映像再生装置。
【請求項１２】
ネットワーク経由で互いに接続された映像記録装置と映像再生装置とを備える映像記録再生システムであって、
前記映像記録装置は、
コンテンツを受信するコンテンツ受信手段と、
受信した前記コンテンツのストリームを異なるビットレートのストリームに変換する変換手段と、
受信した前記コンテンツのストリーム、または変換されたストリームを記録する第１の記録手段と、
前記映像再生装置からの第１のリクエストを受信した場合、前記第１のリクエストにより指定されたコンテンツの配信可能なビットレートのリストと、各ビットレート毎の変換の要否を示す情報とを前記映像再生装置に送信するリスト送信手段と、
前記映像再生装置からの第２のリクエストを受信した場合、前記第２のリクエストにより指定されたビットレートのストリームを前記映像再生装置に配信する配信手段と、
を具備し、
前記映像再生装置は、
操作入力に応じてコンテンツを指定する為の第１のリクエストを前記映像記録装置に送信する第１のリクエスト送信手段と、
前記映像記録装置から前記第１のリクエストにより指定した前記コンテンツの配信可能なビットレートのリストを受信するリスト受信手段と、
前記リストに含まれている複数のビットレートの中から１つのビットレートを選択する選択手段と、
前記選択手段により選択したビットレートを示す第２のリクエストを前記映像記録装置に送信する第２のリクエスト送信手段と、
前記第２のリクエストにより指定したビットレートのストリームを受信するストリーム受信手段と、
前記ストリーム受信手段により受信したストリームを記録する第２の記録手段と、
を具備する映像記録再生システム。
【発明の詳細な説明】
【技術分野】
【０００１】
本発明の実施形態は、映像記録装置、映像再生装置、及び映像記録再生システムに関する。
【背景技術】
【０００２】
従来、映画、テレビ番組、またはゲームなどの映像コンテンツ（ストリーム）を記録（録画）、及び再生することができる映像記録再生装置が一般的に普及している。このような映像記録再生装置は、記録したストリームを複数の機器間でネットワーク経由で共有化することができる。
【０００３】
また、記録したストリームを異なるビットレートのストリームにトランスコードする装置が実用化されている。
【先行技術文献】
【特許文献】
【０００４】
【特許文献１】特開２００６−３１１２６７号公報
【発明の概要】
【発明が解決しようとする課題】
【０００５】
記録したストリームを複数の機器間で共有する場合、機器毎に再生可能なビットレートが異なる場合がある。そこで、映像記録再生装置は、記録したストリームを異なるビットレートのストリームにトランスコードし、他の機器に配信する。しかし、トランスコードには時間がかかる為、共有化の妨げとなる可能性があるという課題がある。
【０００６】
本発明の目的は、より高い利便性を有する映像記録装置、映像再生装置、及び映像記録再生システムを提供することである。
【課題を解決するための手段】
【０００７】
一実施形態に係る映像記録装置は、ネットワーク経由で接続された外部機器と通信を行なう映像記録装置であって、コンテンツを受信するコンテンツ受信手段と、受信した前記コンテンツのストリームを異なるビットレートのストリームに変換する変換手段と、受信した前記コンテンツのストリーム、または変換されたストリームを記録する記録手段と、前記外部機器からの第１のリクエストを受信した場合、前記第１のリクエストにより指定されたコンテンツの配信可能なビットレートのリストと、各ビットレート毎の変換の要否を示す情報とを前記外部機器に送信するリスト送信手段と、前記外部機器からの第２のリクエストを受信した場合、前記第２のリクエストにより指定されたビットレートのストリームを前記外部機器に配信する配信手段と、を具備する。
【図面の簡単な説明】
【０００８】
【図１】図１は、一実施形態に係る映像記録再生システムについて説明する為の図である。
【図２】図２は、一実施形態に係る映像記録再生システムについて説明する為の図である。
【図３】図３は、一実施形態に係る映像記録再生システムについて説明する為の図である。
【図４】図４は、一実施形態に係る映像記録再生システムについて説明する為の図である。
【図５】図５は、一実施形態に係る映像記録再生システムについて説明する為の図である。
【図６】図６は、一実施形態に係る映像記録再生システムについて説明する為の図である。
【図７】図７は、一実施形態に係る映像記録再生システムについて説明する為の図である。
【図８】図８は、一実施形態に係る映像記録再生システムについて説明する為の図である。
【発明を実施するための形態】
【０００９】
以下、図を参照しながら、一実施形態に係る映像記録装置、映像再生装置、及び映像記録再生システムについて詳細に説明する。
【００１０】
図１は、複数の電子機器により構成される映像記録再生システム１の例を示す。映像記録再生システム１は、例えば、映像記録装置１００、及び映像再生装置２００を備える。またさらに、映像記録装置１００と映像再生装置２００とが無線通信により通信する構成である場合、映像記録再生システム１は、無線通信端末３００をさらに備える。
【００１１】
コンテンツを複数の機器間で共有化する為に、例えば、Ｄｉｇｉｔａｌ  Ｌｉｖｉｎｇ  Ｎｅｔｗｏｒｋ  Ａｌｌｉａｎｃｅ（ＤＬＮＡ）などのガイドラインが存在する。ＤＬＮＡに対応する機器同士をＬＡＮを介して接続する場合、機器間におけるコンテンツの共有化が実現される。
【００１２】
ＤＬＮＡのネットワークを構成する機器は、例えば、Ｄｉｇｉｔａｌ  Ｍｅｄｉａ  Ｓｅｒｖｅｒ（ＤＭＳ）、Ｄｉｇｉｔａｌ  Ｍｅｄｉａ  Ｐｌａｙｅｒ（ＤＭＰ）、Ｄｉｇｉｔａｌ  Ｍｅｄｉａ  Ｃｏｎｔｒｏｌｌｅｒ（ＤＭＣ）、及びＤｉｇｉｔａｌ  Ｍｅｄｉａ  Ｒｅｎｄｅｒｅｒ（ＤＭＲ）などが存在する。
【００１３】
ＤＭＳは、例えば、録画機能付きのテレビ、ハードディスクレコーダ、またはＰＣなどである。ＤＭＳは、ディジタルコンテンツの格納、及び配信を行う。ＤＭＰは、例えば、テレビ等の表示装置、または、オーディオプレーヤーなどである。ＤＭＰは、ＤＭＳからコンテンツを取得し、取得したコンテンツを記録及び再生する。ＤＭＣは、例えば、ＰＣ、または携帯端末などである。ＤＭＣは、ＤＭＳに格納されているコンテンツをＤＭＲに配信させるようにＤＭＳを制御する。ＤＭＲは、例えば、テレビ等の表示装置、または、オーディオプレーヤーなどである。ＤＭＲは、ＤＭＳから配信されたコンテンツを再生する。
【００１４】
なお、本実施形態では、映像記録再生システム１の映像記録装置１００、及び映像再生装置２００は、それぞれＤＬＮＡ機能に対応していると仮定する。例えば、映像記録装置１００がＤＭＳとして機能し、映像再生装置２００がＤＭＰまたはＤＭＲとして機能するとして説明する。
【００１５】
映像記録装置１００は、例えば、放送信号、または記憶媒体に記憶されている映像コンテンツなどを再生することができる放送受信装置などの電子機器である。なお、以下、映像記録装置１００は、放送受信装置１００であるとして説明する。また、放送受信装置１００は、リモートコントローラ１６３、映像再生装置２００、及び無線通信端末３００と通信する通信手段を備える。
【００１６】
映像再生装置２００は、ディスプレイ、操作手段、及び通信手段を備える電子機器である。映像再生装置２００は、例えば、携帯電話端末、タブレット型ＰＣ、携帯音楽プレイヤー、または他の電子機器である。
【００１７】
無線通信端末３００は、映像再生装置２００、及び無線通信端末３００と無線通信する通信手段を備える。例えば、無線通信端末３００は、無線通信のアクセスポイントとして機能する。即ち、無線通信端末３００は、放送受信装置１００と無線、またはＬＡＮケーブルなどの通信ケーブルにより通信することができる。また、無線通信端末３００は、映像再生装置２００と無線により通信することができる。即ち、放送受信装置１００、映像再生装置２００、及び無線通信端末３００は、双方向通信可能な通信プロトコル（例えばＩＰ）経由で接続されている。
【００１８】
例えば、放送受信装置１００及び映像再生装置２００は、ＩＥＥＥ８０２．１１ｂ／ｇ／ｎなどにより無線通信端末３００と通信を行なう機能を備える。また、放送受信装置１００及び映像再生装置２００は、互いに直接無線通信を行なう機能を備えていてもよい。即ち、放送受信装置１００と映像再生装置２００とは、無線通信端末３００経由、または直接データを送受信することができる。
【００１９】
図２は、一実施形態に係る放送受信装置１００の例を示す。  
放送受信装置１００は、チューナ１１１、復調部１１２、信号処理部１１３、音声処理部１２１、映像処理部１３１、表示処理部１３３、制御部１５０、記憶装置１６０、操作入力部１６１、受光部１６２、ＬＡＮコネクタ１７１、無線通信部１７２、及びＨＤＭＩ端子１７３を備える。また、放送受信装置１００は、さらにスピーカ１２２及びディスプレイ１３４を備える。
【００２０】
チューナ１１１は、例えばアンテナ１０１により受信されたディジタル放送信号を受け取ることができる。アンテナ１０１は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。チューナ１１１は、上記したディジタル放送信号により供給される番組などのコンテンツのデータ（ストリーム）を受け取ることができる。
【００２１】
チューナ１１１は、ディジタル放送信号用のチューナである。チューナ１１１は、受け取ったディジタル放送信号のチューニング（選局）を行う。チューナ１１１は、チューニングしたディジタル放送信号を復調部１１２に送信する。
【００２２】
復調部１１２は、受信したディジタル放送信号を復調する。これにより、復調部１１２は、ディジタル放送信号からトランスポートストリーム（ＴＳ）などのコンテンツデータを取得する。復調部１１２は、取得したコンテンツデータを信号処理部１１３に入力する。即ち、アンテナ１０１、チューナ１１１、及び復調部１１２は、コンテンツデータを受信する受信手段として機能する。
【００２３】
信号処理部１１３は、コンテンツデータの分離などの信号処理を行う。即ち、信号処理部１１３は、コンテンツデータをディジタル映像信号、ディジタル音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０にデータ信号を供給する。
【００２４】
また、信号処理部１１３は、制御部１５０の制御に基づいて、上記のコンテンツデータを録画可能な状態のデータ（録画ストリーム）に変換することができる。信号処理部１１３は、制御部１５０の制御に基づいて、録画ストリームを記憶装置１６０または他のモジュールに供給することができる。
【００２５】
またさらに、信号処理部１１３は、コンテンツデータのビットレートをオリジナルのビットレートから他のビットレートに変換（トランスコード）することができる。即ち、信号処理部１１３は、放送信号などに基づいて取得したオリジナルのビットレートのストリームを、より低いビットレートのストリームにトランスコードすることができる。これにより、信号処理部１１３は、より容量の少ない状態でコンテンツを録画させることができる。
【００２６】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００２７】
映像処理部１３１は、信号処理部１１３から受信したディジタル映像信号を、ディスプレイ１３４で再生可能なフォーマットの映像信号に変換する。即ち、映像処理部１３１は、信号処理部１１３から受信したディジタル映像信号を、ディスプレイ１３４で再生可能なフォーマットの映像信号にデコード（再生）する。映像処理部１３１は、映像信号を表示処理部１３３に出力する。
【００２８】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００２９】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００３０】
なお、放送受信装置１００は、ディスプレイ１３４の代わりに、映像信号を出力する出力端子を備える構成であってもよい。また、放送受信装置１００は、スピーカ１２２の代わりに、オーディオ信号を出力する出力端子を備える構成であってもよい。また、放送受信装置１００は、ディジタル映像信号とディジタル音声信号とを出力する出力端子を備える構成であってもよい。
【００３１】
制御部１５０は、放送受信装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、操作入力部１６１から供給される操作信号に基づいて、種々の処理を行う。
【００３２】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００３３】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３４】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３５】
ＥＥＰＲＯＭ１５４は、各種の設定情報、及びプログラムなどを記憶する不揮発性メモリである。
【００３６】
記憶装置１６０は、コンテンツを記憶する記憶媒体を有する。例えば、記憶装置１６０は、ハードディスクドライブ（ＨＤＤ）、ソリッドステイトドライブ（ＳＳＤ）、または半導体メモリなどにより構成される。記憶装置１６０は、信号処理部１１３から供給された録画ストリームを記憶することができる。
【００３７】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。
【００３８】
なお、タッチパッドは、静電容量式センサ、サーモセンサ、または他の方式に基づいて位置情報を生成するデバイスを含む。また、放送受信装置１００がディスプレイ１３４を備える場合、操作入力部１６１は、ディスプレイ１３４と一体に形成されるタッチパネルなどを備える構成であってもよい。
【００３９】
受光部１６２は、例えば、リモートコントローラ１６３からの操作信号を受信するセンサなどを備える。受光部１６２は、受信した信号を制御部１５０に供給する。制御部１５０は、受光部１６２から供給された信号を受信し、受信した信号を増幅させてＡ／Ｄ変換を行うことにより、リモコン１６３から送信された元の操作信号を復号する。
【００４０】
リモートコントローラ１６３は、ユーザの操作入力に基づいて操作信号を生成する。リモートコントローラ１６３は、生成した操作信号を赤外線通信により受光部１６２に送信する。なお、受光部１６２及びリモートコントローラ１６３は、電波などの他の無線通信により操作信号の送受信を行う構成であってもよい。
【００４１】
ＬＡＮコネクタ１７１は、ＬＡＮ経由でインターネット、イントラネット、またはホームネットワークなどのネットワーク上の他の機器と通信を行なう為のインターフェースである。上記したように、無線通信端末３００とＬＡＮコネクタ１７１とがＬＡＮケーブルにより接続された場合、放送受信装置１００は、無線通信端末３００に接続されている他の機器と通信することができる。例えば、放送受信装置１００は、ＬＡＮコネクタ１７１によりネットワーク上の機器に記録されているコンテンツを取得し、再生することができる。また、放送受信装置１００は、コンテンツデータをＬＡＮコネクタ１７１により接続される機器に出力することが出来る。
【００４２】
無線通信部１７２は、無線ＬＡＮ経由でアクセスポイントとしての無線通信端末３００と通信を行なう為のインターフェースである。無線通信部１７２は、無線通信端末３００経由でインターネット、またはホームネットワークなどのネットワーク上の他の機器と通信を行なうことができる。例えば、無線通信部１７２は、ＩＥＥＥ８０２．１１ｂ／ｇ／ｎなどにより無線通信端末３００と通信を行なう機能を備える。
【００４３】
上記したように、無線通信端末３００と無線通信部１７２とが無線ＬＡＮにより接続された場合、放送受信装置１００は、無線通信端末３００に接続されている他の機器と通信することができる。また、無線通信部１７２は、無線通信端末３００を介さずに他の機器と直接無線ＬＡＮにより通信する構成であってもよい。
【００４４】
ＨＤＭＩ端子１７３は、ＨＤＭＩ（High Definition Multimedia Interface）（登録商標）などの規格に基づいた通信を行なう為のインターフェースである。ＨＤＭＩ端子１７３には、ブルーレイ（登録商標）レコーダ、ＤＶＤレコーダ、ハードディスクレコーダ、または他の機器とＨＤＭＩに対応した機器が接続される。ＨＤＭＩ端子１７３は、接続された機器から出力されたコンテンツデータを受信することができる。
【００４５】
制御部１５０は、ＨＤＭＩ端子１７３により受信したコンテンツデータを信号処理部１１３に入力させる。信号処理部１１３は、受信したコンテンツデータからディジタル映像信号、及びディジタル音声信号などを分離する。信号処理部１１３は、分離したディジタル映像信号を映像処理部１３１に送信し、分離したディジタル音声信号を音声処理部１２１に送信する。
【００４６】
また、放送受信装置１００は、図示しない電源部を備える。電源部は、ＡＣアダプタなどを介して商用電源などから電力を受け取る。電源部は、受け取った交流の電力を直流に変換し、放送受信装置１００内の各部へ供給する。
【００４７】
図３は、一実施形態に係る映像再生装置２００の例を示す。  
映像再生装置２００は、制御部２５０、操作入力部２６１、無線通信部２７２、及び記憶装置２７４を備える。さらに、映像再生装置２００は、スピーカ２２２、マイク２２３、ディスプレイ２３４、タッチセンサ２３５を備える。
【００４８】
制御部２５０は、映像再生装置２００の各部の動作を制御する制御手段として機能する。制御部２５０は、ＣＰＵ２５１、ＲＯＭ２５２、ＲＡＭ２５３、及びＥＥＰＲＯＭ２５４などを備えている。制御部２５０は、操作入力部２６１、またはタッチセンサ２３５から供給される操作信号に基づいて、種々の処理を行う。
【００４９】
ＣＰＵ２５１は、種々の演算処理を実行する演算素子などを備える。ＣＰＵ２５１は、ＲＯＭ２５２、またはＥＥＰＲＯＭ２５４などに記憶されているプログラムを実行することにより種々の機能を実現する。
【００５０】
ＲＯＭ２５２は、映像再生装置２００を制御する為のプログラム、及び各種の機能を実現する為のプログラムなどを記憶する。ＣＰＵ２５１は、操作入力部２６１から供給される操作信号に基づいて、ＲＯＭ２５２に記憶されているプログラムを起動する。これにより、制御部２５０は、各部の動作を制御する。
【００５１】
ＲＡＭ２５３は、ＣＰＵ２５１のワークメモリとして機能する。即ち、ＲＡＭ２５３は、ＣＰＵ２５１の演算結果、ＣＰＵ２５１により読み込まれたデータなどを記憶する。
【００５２】
ＥＥＰＲＯＭ２５４は、各種の設定情報、及びプログラムなどを記憶する不揮発性メモリである。
【００５３】
また、ＣＰＵ２５１は、記憶装置２７４に格納されているアプリケーションなどのデータに基づいて、種々の処理を実行することができる。
【００５４】
また、制御部２５０は、ＣＰＵ２５１が実行しているアプリケーションに応じて、種々の画面などの映像信号を生成し、ディスプレイ２３４に表示させることができる。また、制御部２５０は、ＣＰＵ２５１が実行しているアプリケーションに応じて、種々の音声などの音声信号を生成し、スピーカ２２２により出力させることができる。
【００５５】
スピーカ２２２は、供給されるオーディオ信号に基づいて音を再生する。なお、映像再生装置２００は、スピーカ２２２の代わりに、音声信号を出力する出力端子を備える構成であってもよい。
【００５６】
マイク２２３は、映像再生装置２００の外部の音に基づいて信号（録音信号）を生成する集音手段である。マイク２２３は、録音信号を制御部２５０に供給する。
【００５７】
ディスプレイ２３４は、例えば、マトリクス状に配列された複数の画素を備える液晶表示パネルと、この液晶パネルを照明するバックライトとを備える液晶表示装置などを備える。ディスプレイ２３４は、映像信号に基づいて映像を表示する。
【００５８】
タッチセンサ２３５は、静電容量式センサ、サーモセンサ、または他の方式に基づいて位置情報を生成するデバイスである。例えば、タッチセンサ２３５は、ディスプレイ２３４と一体に設けられる。これにより、タッチセンサ２３５は、ディスプレイ２３４に表示されている画面上での操作に基づいて操作信号を生成し、制御部２５０に供給することができる。
【００５９】
操作入力部２６１は、例えば、ユーザによる操作入力に応じて操作信号を生成するキーを備える。操作入力部２６１は、例えば、音量を調整する為の音量調整キー、ディスプレイ２３４の表示輝度を調整する為の輝度調整キー、及び、映像再生装置２００電源状態を切り替える為の電源キーなどを備える。また、操作入力部２６１は、種々の選択操作などを映像再生装置２００に実行させる為のトラックボールなどをさらに備えていてもよい。操作入力部２６１は、上記したキーの操作に応じて操作信号を生成し、操作信号を制御部２５０に供給する。
【００６０】
また、操作入力部２６１は、キーボード、マウス、または操作信号を生成する事ができる他の入力装置などから操作信号を受け取る構成であってもよい。例えば、映像再生装置２００がＵＳＢ端子、またはＢｌｕｅｔｏｏｔｈ（登録商標）のモジュールなどを備えている場合、操作入力部２６１は、ＵＳＢ、またはＢｌｕｅｔｏｏｔｈにより接続された入力装置から操作信号を受け取り、制御部２５０に供給する。
【００６１】
無線通信部２７２は、無線ＬＡＮ経由でアクセスポイントとしての無線通信端末３００と通信を行なう為のインターフェースである。無線通信部２７２は、無線通信端末３００経由でインターネット、またはホームネットワークなどのネットワーク上の他の機器と通信を行なうことができる。例えば、無線通信部２７２は、ＩＥＥＥ８０２．１１ｂ／ｇ／ｎなどにより無線通信端末３００と通信を行なう機能を備える。
【００６２】
上記したように、無線通信端末３００と無線通信部２７２とが無線ＬＡＮにより接続された場合、映像再生装置２００は、無線通信端末３００に接続されている他の機器と通信することができる。また、無線通信部２７２は、無線通信端末３００を介さずに他の機器と直接無線ＬＡＮにより通信する構成であってもよい。
【００６３】
また、映像再生装置２００は、図示しない電源部を備える。電源部は、バッテリーと、商用電源などから電力を受け取るアダプタと接続する為の端子（例えばＤＣジャック）と、を備える。電源部は、商用電源から受け取った電力をバッテリーに充電する。また、電源部は、バッテリーに充電されている電力を映像再生装置２００内の各部へ供給する。
【００６４】
記憶装置２７４は、ハードディスクドライブ（ＨＤＤ）、ソリッドステイトドライブ（ＳＳＤ）、または半導体メモリなどを備える。記憶装置２７４は、制御部２５０のＣＰＵ２５１により実行されるプログラム、アプリケーション、及び種々のデータなどを記憶することができる。
【００６５】
また、映像再生装置２００は、映像記録装置１００に記録されているコンテンツをネットワーク経由で受け取り、保存及び再生することが出来る。しかし、映像記録装置１００に比べて映像再生装置２００で再生することができるストリームのビットレートが低い場合、映像再生装置２００は、受け取ったストリームを再生することができない可能性がある。そこで、映像再生装置２００は、低いビットレートにトランスコードされたストリームを映像記録装置１００から受け取る。
【００６６】
なお、映像記録装置１００は、放送信号などに基づいてコンテンツを記録する場合、オリジナルのビットレートのストリームと、より低いビットレートのストリームとを対応付けて記憶することができる。即ち、映像記録装置１００は、放送信号などに基づいてコンテンツを記録する場合、オリジナルのストリームを記録する。さらに映像記録装置１００は、オリジナルのストリームをトランスコードし、より低いビットレートのストリームを生成する。映像記録装置１００は、生成した低ビットレートのストリームをオリジナルのストリームに紐付けして記憶する。
【００６７】
この場合、映像記録装置１００は、低ビットレートのストリームを表面的に表示されないような状態で記憶する。これにより、映像記録装置１００上でこのコンテンツが再生される場合、映像記録装置１００は、オリジナルのストリームを再生する。また、映像記録装置１００は、他の機器とでコンテンツを共有化する場合、オリジナルのストリームと、既にトランスコードされた低ビットレートのストリームと、または他のビットレートに新たにトランスコードされたストリームとで共有化するストリームを他の機器に選択させることができる。
【００６８】
さらに、映像記録装置１００は、コンテンツを削除する操作入力があった場合、コンテンツのオリジナルのストリームと、オリジナルのストリームに対応付けられた低ビットレートのストリームとの両方を削除する。
【００６９】
図４は、映像再生装置２００における処理の例を示す。  
映像再生装置２００は、ネットワーク経由でデータを送受信することにより、映像記録装置１００に記録されているコンテンツの一覧を表示することができる。さらに、映像再生装置２００は、１つのコンテンツ共有化を指示する操作入力に応じて、映像記録装置１００から配信が可能なビットレートのリストをリクエストする（ステップＳ１１）。
【００７０】
映像記録装置１００は、リストのリクエストを受信した場合、リクエストで指定されたコンテンツのタイトル、記録日時、チャンネル、及びオリジナルのストリームのビットレートを認識する。また、映像記録装置１００は、オリジナルのストリームからトランスコードが可能なビットレートを認識する。さらに、映像記録装置１００は、トランスコードが必要なビットレートを認識する。即ち、映像記録装置１００は、オリジナルのストリームに対応付けられて記憶されている既にトランスコードされているストリームの有無及びビットレートを認識する。
【００７１】
映像記録装置１００は、コンテンツのタイトル、記録日時、チャンネル、オリジナルのストリームのビットレート、トランスコードが可能なビットレート、及びトランスコードが必要なビットレートに基づいて、図５に示されるようなリストを生成する。映像記録装置１００は、生成したリストをリクエストへのレスポンスとして映像再生装置２００に返信する。
【００７２】
図５の「protocolInfo」は、トランスコードが可能なビットレート毎のストリームの記録状況を示す情報である。「protocolInfo」は、オリジナルのストリームであるか否かを示すコード「DLNA.ORG_CI」と、トランスコードの要否を示すコード「T_FAST」と、トランスコードが可能なビットレートを示すコード「T_RATE」とを有する。
【００７３】
コード「DLNA.ORG_CI」は、「=0」によりオリジナルであることを示し、「=1」によりオリジナルではないことを示す。コード「T_FAST」は、「=0」によりトランスコードが必要であることを示し、「=1」によりトランスコードが不要であることを示す。コード「T_RATE」は、「protocolInfo」のビットレートを示す。
【００７４】
例えば、指定されたコンテンツのオリジナルのストリームのビットレートが２４Ｍｂｐｓであるとする。また、オリジナルのストリームに、６Ｍｂｐｓにトランスコードされたストリームが対応付けられて記憶されているとする。さらに、オリジナルのストリームから、１２Ｍｂｐｓ、８Ｍｂｐｓ、６Ｍｂｐｓ、及び４Ｍｂｐｓにトランスコードが可能であるとする。
【００７５】
このような場合、映像記録装置１００は、図５に示されるように、「T_RATE」が「=24」であり、「DLNA.ORG_CI」が「=0」であり、「T_FAST」が「=1」である「protocolInfo」を生成する。また、映像記録装置１００は、「T_RATE」が「=12」であり、「DLNA.ORG_CI」が「=1」であり、「T_FAST」が「=0」である「protocolInfo」を生成する。また、映像記録装置１００は、「T_RATE」が「=8」であり、「DLNA.ORG_CI」が「=1」であり、「T_FAST」が「=0」である「protocolInfo」を生成する。また、映像記録装置１００は、「T_RATE」が「=6」であり、「DLNA.ORG_CI」が「=1」であり、「T_FAST」が「=1」である「protocolInfo」を生成する。また、映像記録装置１００は、「T_RATE」が「=4」であり、「DLNA.ORG_CI」が「=1」であり、「T_FAST」が「=0」である「protocolInfo」を生成する。
【００７６】
映像再生装置２００は、映像記録装置１００から返信されたリストを受信する（ステップＳ１２）。映像再生装置２００は、図６により示されるように受信したリストを解析する。なお、図６の解析結果は、図５により示されたリストを受信した場合の解析結果である。即ち、映像再生装置２００は、既にトランスコードされたストリームが存在しないビットレート（１２Ｍｂｐｓ、８Ｍｂｐｓ、及び４Ｍｂｐｓ）は、トランスコードが必要であることを認識する。また、映像再生装置２００は、オリジナルであるビットレート（２４Ｍｂｐｓ）、及び既にトランスコードされたストリームが存在するビットレート（６Ｍｂｐｓ）は、トランスコードが不要であることを認識する。
【００７７】
さらに、映像再生装置２００は、受信したリストの中から、再生が可能なビットレートを抽出する（ステップＳ１３）。再生が可能なビットレートは、映像再生装置２００のスペックなどに応じて予め設定されている。即ち、映像再生装置２００は、設定されているビットレートの上限以下のビットレートを図６の解析結果から抽出する。例えば、再生可能なビットレートの上限が８Ｍｂｐｓである場合、映像再生装置２００は、８Ｍｂｐｓ、６Ｍｂｐｓ、及び４Ｍｂｐｓを再生可能なビットレートとして抽出する。
【００７８】
また、映像再生装置２００は、画質優先であるか速度優先であるかを判定する（ステップＳ１４）。映像再生装置２００の制御部２５０は、画質優先であるか速度優先であるかを示す情報を記憶する為の記憶領域をＥＥＰＲＯＭ２５４、または他のメモリ内に確保している。映像再生装置２００は、この記憶領域に格納されている画質優先であるか速度優先であるかを示す情報に基づいて、画質優先であるか速度優先であるかを判定する。
【００７９】
画質優先であると判定した場合、映像再生装置２００は、ステップＳ１３で抽出したビットレートのリストを画質順で選択可能な状態でディスプレイ２３４に表示する（ステップＳ１５）。映像再生装置２００は、例えば、図７に示すようなリストを表示する。
【００８０】
図７は、画質優先のビットレートの選択画面の例を示す。ビットレート選択画面は、ウィンドウ６０１、ボタン６０２、ボタン６０３、ボタン６０４、タブ６０５、及びタブ６０６を有する。ウィンドウ６０１は、ビットレート毎のボタンが表示される表示領域である。
【００８１】
ボタン６０２は、ビットレートとして８Ｍｂｐｓを選択するための選択ボタンである。ボタン６０３は、ビットレートとして６Ｍｂｐｓを選択するための選択ボタンである。ボタン６０４は、ビットレートとして４Ｍｂｐｓを選択するための選択ボタンである。タブ６０５及びタブ６０６は、画質優先か速度優先かをユーザに選択させる為の選択タブである。
【００８２】
図７の例では、画質優先である為、映像再生装置２００は、８Ｍｂｐｓを選択するためのボタン６０２、６Ｍｂｐｓを選択するためのボタン６０３、４Ｍｂｐｓを選択するためのボタン６０４の順でウィンドウ６０１内に各ボタンを表示する。
【００８３】
なお、既にトランスコードされたストリームは、映像記録装置１００側で配信時に新たにトランスコードを行う必要がない。この為、映像再生装置２００は、既にトランスコードされたストリームが存在することを示すアイコンなどをボタン近傍に表示させる。
【００８４】
例えば、図６の解析結果によると、６Ｍｂｐｓのストリームが既にトランスコードされて映像記録装置１００に記憶されている。この為、映像再生装置２００は、６Ｍｂｐｓを選択するためのボタン６０３の近傍に、高速に共有化処理を行うことができることを示すアイコン６０７を表示させる。
【００８５】
また、ステップＳ１４で速度優先であると判定した場合、映像再生装置２００は、ステップＳ１３で抽出したビットレートのリストを速度順で選択可能な状態でディスプレイ２３４に表示する（ステップＳ１６）。映像再生装置２００は、例えば、図８に示すようなリストを表示する。
【００８６】
図８は、速度優先のビットレートの選択画面の例を示す。速度優先のビットレートの選択画面は、画質優先のビットレートの選択画面と同様に、ウィンドウ６０１、ボタン６０２、ボタン６０３、ボタン６０４、タブ６０５、及びタブ６０６を有する。
【００８７】
図８の例では、画質優先である為、映像再生装置２００は、映像記録装置１００とのストリームの共有化処理が速く行われる順に各ボタンを表示する。例えば、映像再生装置２００は、各ビットレート毎に、トランスコードが不要であるか否かを判断する。また、映像再生装置２００は、変換後のストリームの容量と、トランスコードの要否とに基づいて、共有化処理に要する時間を推定する。映像再生装置２００は、推定した時間の短い順にボタン６０２、ボタン６０３、及びボタン６０４を表示させる。なお、映像再生装置２００は、トランスコードが不要であるビットレートをビットレートの低い順に表示し、その下位にトランスコードが必要であるビットレートをビットレートの低い順に表示する構成であってもよい。
【００８８】
例えば、図６の解析結果によると、６Ｍｂｐｓのストリームが既にトランスコードされて映像記録装置１００に記憶されている。例えば、映像再生装置２００は、６Ｍｂｐｓ、４Ｍｂｐｓ、８Ｍｂｐｓの順に共有化処理に要する時間が短いと判断したとする。この場合、映像再生装置２００は、図８に示されたように、６Ｍｂｐｓを選択するためのボタン６０３、４Ｍｂｐｓを選択するためのボタン６０４、８Ｍｂｐｓを選択するためのボタン６０２、の順でウィンドウ６０１内に各ボタンを表示する。
【００８９】
なお、映像再生装置２００は、タブ６０５及びタブ６０６の選択に応じて、図７に示されるような画質優先表示と、図８に示されるような速度優先表示とを切り替えることができる。
【００９０】
映像再生装置２００は、ビットレートのリストの表示中の操作入力に応じて、１つのビットレートを選択する（ステップＳ１７）。即ち、映像再生装置２００は、図７または図８の各ボタンのうちの何れかが選択された場合、選択されたボタンに応じたビットレートを選択する。
【００９１】
映像再生装置２００は、選択したビットレートのストリームを映像記録装置１００にリクエストする（ステップＳ１８）。即ち、映像再生装置２００は、選択したビットレートを示す情報（選択情報）を映像記録装置１００に送信する。
【００９２】
映像記録装置１００は、リクエストに応じたビットレートのストリームを映像再生装置２００にネットワーク経由で送信する。例えば、リクエストされたビットレートのストリームが記憶装置１６０に記録されていない場合、映像記録装置１００は、記憶装置１６０に記憶されているオリジナルのストリーム、または他のビットレートのストリームをリクエストに応じたビットレートにトランスコードする。映像記録装置１００は、トランスコードしたストリームを映像再生装置２００にネットワーク経由で送信する。
【００９３】
また、リクエストされたビットレートのストリームが記憶装置１６０に記録されている場合、映像記録装置１００は、記憶装置１６０に記憶されているリクエストに応じたビットレートのストリームを映像再生装置２００にネットワーク経由で送信する。
【００９４】
さらに、映像記録装置１００は、記録したコンテンツ毎にコピー制御情報を記憶する記憶領域を例えば記録装置１６０内に備える。映像記録装置１００は、映像再生装置２００に送信したコンテンツのコピー制御情報を書き換える。コピー制御情報は、例えば、コンテンツのコピー（ダビングの）の回数またはムーブなどを制限するための情報である。映像記録装置１００は、上記した処理によりコンテンツを映像再生装置２００にコピーした場合、コピー制御情報のコピー可能な回数を１回分差し引く。
【００９５】
映像再生装置２００は、映像記録装置１００から送信されたストリームを受信する（ステップＳ１９）。映像再生装置２００は、受信したストリームを記憶装置２７４に記憶し（ステップＳ２０）、処理を終了する。これにより、映像再生装置２００は、ユーザ所望のビットレートのコンテンツのストリームを取得することができる。映像再生装置２００は、操作入力に応じて、取得したストリームを再生し、ディスプレイ２３４及びスピーカ２２２から出力することができる。
【００９６】
上記したように、映像記録装置１００は、映像再生装置２００からのコンテンツの共有化のリクエストに応じて、共有化が可能なビットレートを示すリストを生成する。この場合、映像記録装置１００は、トランスコードの要否を示す情報を各ビットレート毎にリストに付加する。
【００９７】
さらに、映像再生装置２００は、トランスコードの要否、及びストリームの容量に応じて、共有化処理に要する時間の短いビットレートの順番を判断することができる。これにより、映像再生装置２００は、共有化処理に要する時間の短い順にビットレートをユーザに選択させる為のボタンを表示することができる。
【００９８】
これにより、映像記録装置１００は、高速に共有化処理を行なう事ができるビットレートを映像再生装置２００を操作するユーザに通知することができる。この為、ユーザの要望に応じて、より短い時間でコンテンツを共有化することができる。この結果、より高い利便性を有する映像記録装置、映像再生装置、及び映像記録再生システムを提供することができる。
【００９９】
なお、上記した実施形態では、映像再生装置２００は、ビットレートのリストの表示中の操作入力に応じてビットレートを選択する構成であると説明したが、この構成に限定されない。映像再生装置２００は、設定に応じて自動的にビットレートを選択する構成であってもよい。例えば、映像再生装置２００は、画質優先設定である場合、再生可能なビットレートの中で最も画質の高いビットレートを自動的に選択する。また、映像再生装置２００は、速度優先設定である場合、再生可能なビットレートの中で最も早く共有化処理を行なう事ができるビットレートを自動的に選択する。このような場合、映像再生装置２００は、トランスコードが不要なビットレートを自動的に選択する。
【０１００】
また、映像再生装置２００は、ストリームの再生中に操作入力に応じて他のビットレートを選択する構成であってもよい。例えば、映像再生装置２００は、ストリームの再生中の操作入力に応じて、再生可能なビットレートのリストをディスプレイ２３４に表示する。映像再生装置２００は、例えば、映像記録装置１００から受け取ったリストに応じて再生可能なビットレートのリストをディスプレイ２３４に表示する。
【０１０１】
映像再生装置２００は、ビットレートのリストの表示中の操作入力に応じて、１つのビットレートを選択する。映像再生装置２００は、選択したビットレートのストリームを映像記録装置１００にリクエストする。映像記録装置１００は、リクエストに応じたビットレートのストリームを映像再生装置２００にネットワーク経由で送信する。このような構成により、映像再生装置２００は、再生中のストリームのビットレートを切り替えることができる。
【０１０２】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１０３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１０４】
１…映像記録再生システム、１００…放送受信装置、１０１…アンテナ、１１１…チューナ、１１２…復調部、１１３…信号処理部、１２１…音声処理部、１２２…スピーカ、１３１…映像処理部、１３３…表示処理部、１３４…ディスプレイ、１５０…制御部、１５１…ＣＰＵ、１５２…ＲＯＭ、１５３…ＲＡＭ、１５４…ＥＥＰＲＯＭ、１６０…記憶装置、１６１…操作入力部、１６２…受光部、１６３…リモートコントローラ、１７１…ＬＡＮコネクタ、１７２…無線通信部、１７３…ＨＤＭＩ端子、２００…映像再生装置、２２２…スピーカ、２２３…マイク、２３４…ディスプレイ、２３５…タッチセンサ、２５０…制御部、２５１…ＣＰＵ、２５２…ＲＯＭ、２５３…ＲＡＭ、２５４…ＥＥＰＲＯＭ、２６１…操作入力部、２７２…無線通信部、２７４…記憶装置、３００…無線通信端末。
【図１】
2013211767.tif 000003
【図２】
2013211767.tif 000004
【図３】
2013211767.tif 000005
【図４】
2013211767.tif 000006
【図５】
2013211767.tif 000007
【図６】
2013211767.tif 000008
【図７】
2013211767.tif 000009
【図８】
2013211767.tif 000010